(57)【要約】【課題】撮影又は録音を妨げることなく通話を行うことが可能な携帯通信端末、通信制御方法及び通信制御プログラムを提供する。【解決手段】無線通信手段と、装置外部からの音声を記録する記録手段と、ハンズフリーの通話が可能な状態か否かを判定する判定手段と、前記判定手段によりハンズフリーの通話が可能と判定された場合に、前記記録手段による記録時に前記無線通信手段の動作を有効とする制御手段と、を備える。【選択図】図３
2006254194.tif 000002
【特許請求の範囲】
【請求項１】
無線通信手段と、
装置外部からの音声を記録する記録手段と、
ハンズフリーの通話が可能な状態か否かを判定する判定手段と、
前記判定手段によりハンズフリーの通話が可能と判定されると、前記記録手段による記録時の前記無線通信手段の動作を有効にする制御手段と、
を備えたことを特徴とする携帯通信端末。
【請求項２】
前記制御手段は、前記判定手段によりハンズフリーの通話が不可能と判定されると、前記記録手段による記録時の前記無線通信手段の動作を無効にすることを特徴とする請求項１に記載の携帯通信端末。
【請求項３】
外部の音声入出力装置と接続可能な接続手段と、
前記音声入出力装置の接続状態を検出する検出手段と、
を備え、
前記判定手段は、前記検出手段により音声入出力装置の接続が検出されると、前記ハンズフリーの通話が可能と判定することを特徴とする請求項１又は２に記載の携帯通信端末。
【請求項４】
撮像手段を更に備え、
前記記録手段は、前記外部からの音声とともに前記撮像手段により撮像された画像を記録することを特徴とする請求項１〜３の何れか一項に記載の携帯通信端末。
【請求項５】
無線通信手段を備えた携帯通信端末の通信制御方法であって、
装置外部からの音声を記録する記録ステップと、
ハンズフリーの通話が可能な状態か否かを判定する判定ステップと、
前記判定ステップによりハンズフリーの通話が可能と判定されると、前記記録ステップによる記録時の前記無線通信手段の動作を有効とする制御ステップと、
を含むことを特徴とする通信制御方法。
【請求項６】
無線通信手段を備えた携帯通信端末が有するコンピュータを、
装置外部からの音声を記録する記録手段と、
ハンズフリーの通話が可能な状態か否かを判定する判定手段と、
前記判定手段によりハンズフリーの通話が可能と判定されると、前記記録手段による記録時の前記無線通信手段の動作を有効とする制御手段と、
して機能させることを特徴とする通信制御プログラム。
【発明の詳細な説明】
【技術分野】
【０００１】
本発明は、携帯通信端末、通信制御方法及び通信制御プログラムに関する。
【背景技術】
【０００２】
近年、携帯通信端末である例えば携帯電話などは、カメラが搭載されたものが多く普及しており、ボタン操作により静止画だけでなく動画の撮影も可能となっており、撮影時に録音された音声データとともに動画データとして記録媒体に記録される。また、撮影時にはカメラが撮像する撮像範囲が携帯電話に備えられた表示装置に表示されるようになっており（以下、モニタスルー表示という）、このモニタスルー表示に基づいて撮影を行うことが可能となっている。
このようなカメラ付き携帯電話では、動画撮影の際に着信があると、着信音が撮影時の音声として録音されてしまうため、撮影を妨げるという問題があった。そのため、動画の撮影中に着信した場合には、着信音を発する代わりに表示装置に着信した旨を表示し、使用者に撮影中止の操作を促す通信装置が提案されている（例えば、特許文献１参照）。
【特許文献１】特開２０００−１５１８３２号公報
【発明の開示】
【発明が解決しようとする課題】
【０００３】
しかしながら、特許文献１の通信装置では、表示装置に着信した旨を表示するため、撮影を優先するような場合には、該表示装置に着信した旨が表示されることでプレビュー画像の確認の妨げとなる可能性がある。また、着信に対して応答する場合においても、携帯通信端末本体のマイク及びスピーカを介して通話が行われるため、通話音声が撮影時の音声として録音されてしまうという問題がある。
【０００４】
本発明の課題は、撮影又は録音を妨げることなく通話を行うことが可能な携帯通信端末、通信制御方法及び通信制御プログラムを提供することである。
【課題を解決するための手段】
【０００５】
上記課題を解決するために、請求項１に記載の発明は、
無線通信手段と、
装置外部からの音声を記録する記録手段と、
ハンズフリーの通話が可能な状態か否かを判定する判定手段と、
前記判定手段によりハンズフリーの通話が可能と判定されると、前記記録手段による記録時の前記無線通信手段の動作を有効にする制御手段と、
を備えたことを特徴としている。
【０００６】
更に、請求項２に記載の発明は、請求項１に記載の発明において、
前記制御手段は、前記判定手段によりハンズフリーの通話が不可能と判定されると、前記記録手段による記録時の前記無線通信手段の動作を無効にすることを特徴としている。
【０００７】
更に、請求項３に記載の発明は、請求項１又は２に記載の発明において、
外部の音声入出力装置と接続可能な接続手段と、
前記音声入出力装置の接続状態を検出する検出手段と、
を備え、
前記判定手段は、前記検出手段により音声入出力装置の接続が検出されると、前記ハンズフリーの通話が可能と判定することを特徴としている。
【０００８】
更に、請求項４に記載の発明は、請求項１〜３の何れか一項に記載の発明において、
撮像手段を更に備え、
前記記録手段は、前記外部からの音声とともに前記撮像手段により撮像された画像を記録することを特徴としている。
【０００９】
また、上記課題を解決するために、請求項５に記載の発明は、
無線通信手段を備えた携帯通信端末の通信制御方法であって、
装置外部からの音声を記録する記録ステップと、
ハンズフリーの通話が可能な状態か否かを判定する判定ステップと、
前記判定ステップによりハンズフリーの通話が可能と判定されると、前記記録ステップによる記録時の前記無線通信手段の動作を有効とする制御ステップと、
を含むことを特徴としている。
【００１０】
また、上記課題を解決するために、請求項６に記載の発明は、
無線通信手段を備えた携帯通信端末が有するコンピュータを、
装置外部からの音声を記録する記録手段と、
ハンズフリーの通話が可能な状態か否かを判定する判定手段と、
前記判定手段によりハンズフリーの通話が可能と判定されると、前記記録手段による記録時の前記無線通信手段の動作を有効とする制御手段と、
して機能させることを特徴としている。
【発明の効果】
【００１１】
請求項１に記載の発明によれば、装置外部からの音声の記録時において、ハンズフリーの通話が可能と判定された場合に、無線通信手段の動作を有効とするため、録音を妨げることなく通話を行うことができる。
【００１２】
請求項２に記載の発明によれば、装置外部からの音声の記録時において、ハンズフリーの通話が不可能と判定された場合に、無線通信手段の動作を無効とするため、録音時における着信が行われないようにすることが可能であり、録音を妨げないようすることができる。
【００１３】
請求項３に記載の発明によれば、外部の音声入出力装置の接続が検出されると、ハンズフリーの通話が可能と判定する。これにより、外部の音声入出力装置を接続することで、ハンズフリーの通話が可能な状態とすることができる。
【００１４】
請求項４に記載の発明によれば、記憶手段は、外部からの音声とともに撮像手段により撮像された画像を記録するため、画像の記録時においても無線通信手段の動作を制御することが可能となるため、撮影を妨げることなくデータの送受信を行うことができる。
【００１５】
請求項５に記載の発明によれば、装置外部からの音声の記録時において、ハンズフリーの通話が可能と判定された場合に、無線通信手段の動作を有効とするため、録音を妨げることなく通話を行うことができる。
【００１６】
請求項６に記載の発明によれば、装置外部からの音声の記録時において、ハンズフリーの通話が可能と判定された場合に、無線通信手段の動作を有効とするため、録音を妨げることなく通話を行うことができる。
【発明を実施するための最良の形態】
【００１７】
以下、本発明を実施するための最良の形態を図面を参照して説明する。ただし、本発明の範囲は、図示例に限定されないものとする。
【００１８】
まず、撮像機能付き携帯通信端末１０について説明する。図１は、撮像機能が付与された携帯通信端末１０の開状態における外観の正面図と背面図である。この携帯通信端末１０は二つ折りタイプであり、図１（ａ）は蓋を開いた状態の正面を示し、図１（ｂ）は蓋を開いた状態の背面を示している。
【００１９】
図１（ａ）において、携帯通信端末１０は、受話音声を出力するスピーカ１１、図形や画像等の各種情報を表示するメイン表示部１２、通信サービス会社が採用する携帯用の無線プロトコルで使用する周波数帯に対応する通信用のアンテナ１３、各種情報の入力や機能指示等を行う操作ボタン群１４、送話音声を集音するマイク１５を備えている。
【００２０】
ここで、操作ボタン群１４は、操作指示を入力するための数字キー、文字キー、機能キー等の各種キーにより構成されており、そのキー操作による押下信号が、後述する操作部２２を介してＣＰＵ（Central Processing Unit）２１に出力される。また、操作ボタン群１４には、動画の撮影及び記録（録画）の開始及び終了を指示するための録画ボタン（不図示）が設けられており、この録画ボタンの押下信号に基づき、ＣＰＵ２１は録画の開始及び終了を行う。
【００２１】
図１（ｂ）において、動画撮影モード等において録音機能を動作させた際に装置外部の音声を集音するためのマイク１６、蓋が閉じた状態でも簡単なメッセージをユーザに知らせるためのサブ表示部１７、被写体を撮像する撮像部１８、着信音或いは警告音等の音声を出力する報知用スピーカ１９を備えている。
【００２２】
ここで、撮像部１８は、ガラスやプラスチック等からなる光学レンズと、ＣＣＤ（Charge Coupled Device）やＣＭＯＳ（Complementary Metal Oxide Semiconductor）等の撮像素子を平面上に多数配設した撮像画素面等から構成されている。撮像部１８は、後述するＣＰＵ２１から撮影を行う指示が入力されると、光学レンズを介して入力され撮像画素面上に結像された被写体像を電気信号に変換して画像データを生成し、後述するカメラ制御Ｉ／Ｆ３１を介してＣＰＵ２１へ出力する。
【００２３】
また、携帯通信端末１０は、ハンズフリー機器５０を接続可能な不図示のハンズフリー機器接続Ｉ／Ｆ２７（図２参照）を備えており、このハンズフリー機器接続Ｉ／Ｆ２７にハンズフリー機器５０を有線或いは無線形式で接続することで、ハンズフリー機器５０を介して通話を行うことが可能となっている。ここで、ハンズフリー機器５０とは、携帯通信端末１０を顔部付近に保持しなくとも通話を行うことが可能なイヤホンマイク等の音声入出力装置であって、ハンズフリーの通話が可能な状態とは、ハンズフリー機器５０を用いることで、携帯通信端末１０を顔部付近に保持しなくとも通話を行うことが可能な状態をいう。
【００２４】
次に、図２を参照して、携帯通信端末１０の機能的構成を説明する、図２に示すように、携帯通信端末１０は、ＣＰＵ２１、操作部２２、表示部２３、ＲＡＭ（Random Access Memory）２４、記憶部２５、無線通信部２６、ハンズフリー機器接続Ｉ／Ｆ２７、音声パス切替部２８、外部機器接続Ｉ／Ｆ２９、録音用マイクＩ／Ｆ３０、カメラ制御Ｉ／Ｆ３１、カメラ制御部３２等を備え、互いに電気的に接続されている。
【００２５】
ＣＰＵ２１は、記憶部２５に記憶されているシステムプログラムを読み出し、ＲＡＭ２４内に形成されたワークエリアに展開し、該システムプログラムに従って携帯通信端末１０の各部を統括的に制御する。また、ＣＰＵ２１は、記憶部２５に記憶されている通信制御プログラムを始めとする各種処理プログラムを読み出してワークエリアに展開し、後述する通信制御処理（図３参照）を始めとする各種処理を実行する。
【００２６】
また、ＣＰＵ２１は、後述する無線通信部２６から出力される無線信号が受信されたことを示す検出信号を受信すると、この信号に基づき報知用スピーカを制御して音声報知を行う。
【００２７】
また、ＣＰＵ２１は、後述するハンズフリー機器接続Ｉ／Ｆ２７から出力されるハンズフリー機器５０が接続された旨の検出信号を受信すると、該ハンズフリー機器５０によるハンズフリーの通話が可能な状態と判定し、音声パス切替部２８に対し、ハンズフリー機器５０に音声データの入出力を切り替える旨の制御信号を出力する。
【００２８】
操作部２２は、操作ボタン群１４等により構成され、利用者によって押下された操作ボタン群１４等からの押下信号を、ＣＰＵ２１に出力する。
【００２９】
表示部２３は、ＬＣＤ（Liquid Crystal Display）やＥＣＤ（Electroluminescence Display）等からなるメイン表示部１２、サブ表示部１７等により構成され、ＣＰＵ２１から入力される表示信号の指示に従って、メイン表示部１２、サブ表示部１７上に各種画像を表示する。
【００３０】
ＲＡＭ２４は、ＣＰＵ２１によって実行される各種プログラム及びこれらプログラムに関わるデータを一時的に記憶するワークエリアを形成する。
【００３１】
記憶部２５は、ＣＰＵ２１により実行される通信制御処理等の各種制御処理プログラム及びこれらのプログラムで利用するデータ等が予め記憶されている記録媒体を有している。この記録媒体は、磁気的・光学的記録媒体又は不揮発性メモリ等で構成されており、ＯＳ（Operating System）、各種アプリケーションプログラム、各種条件設定又はデータを格納する。なお、記憶部２５が記憶するプログラム又はデータ等は、その一部又は全部を他の機器から通信ネットワークを介して受信して記憶する構成にしてもよい。
【００３２】
また、記憶部２５は、撮像部１８により撮影された静止画像データ、動画像データを記録媒体に記録する。なお、撮像部１８により動画が撮影される際には、該撮影時の音声がマイク１６を介して集音され、この集音された音声データが動画像データとともに動画データとして記録媒体に記録される。
【００３３】
無線通信部２６は、外部との無線信号（データ）の送受信を行うとともに、該無線信号が受信されたことを示す検出信号をＣＰＵ２１に出力する通信制御部、前記無線信号の復号化又は無線信号への変換等を行う通信処理部等を有して構成され（何れも不図示）、各種携帯電話や無線モデムの規格や通信方式による通信業者との無線通信により、他の端末との音声通話やメール等のデータの送受信をアンテナ１３を介して行う。
【００３４】
ハンズフリー機器接続Ｉ／Ｆ２７は、ハンズフリー機器５０を着脱可能に接続するためのインターフェースであって、ハンズフリー機器５０の接続状態を検出し、該ハンズフリー機器５０が接続された場合に、その検出信号を後述する外部機器接続Ｉ／Ｆ２９を介してＣＰＵ２１に出力する。また、ＣＰＵ２１との間で授受される制御信号等の各種信号の入出力を外部機器接続Ｉ／Ｆ２９を介して行う。
【００３５】
また、ハンズフリー機器接続Ｉ／Ｆ２７は、接続されたハンズフリー機器５０から入力される音声データを音声パス切替部２８に出力するとともに、音声パス切替部２８から入力される音声データをハンズフリー機器５０に出力する。なお、ハンズフリー機器接続Ｉ／Ｆ２７は、イヤホン端子、ＵＳＢ（Universal Serial Bus）等の有線伝送方式のインターフェースであってもよいし、Ｂｌｕｅｔｏｏｔｈ等の無線伝送方式のインターフェースであってもよい。
【００３６】
なお、ハンズフリー機器５０が接続されたことを検出する方法は、特に問わず、例えば、ハンズフリー機器５０が有線により接続される場合には、ハンズフリー機器５０との電気的接続に基づいて接続状態を検出することとしてもよいし、ハンズフリー機器５０が無線により接続される場合には、ハンズフリー機器接続Ｉ／Ｆ２９とハンズフリー機器５０との間で授受される所定の信号に基づいて接続状態を検出することとしてもよい。
【００３７】
音声パス切替部２８は、ＣＰＵ２１から入力される制御信号に基づいて音声データの入出力先を切り替える。
【００３８】
具体的には、音声パス切替部２８は、ＣＰＵ２１からハンズフリー機器５０に音声データの入出力を切り替える旨の制御信号が入力されると、ＣＰＵ２１から出力される音声データをハンズフリー機器接続Ｉ／Ｆ２７を介してハンズフリー機器５０に出力するとともに、該ハンズフリー機器５０からハンズフリー機器接続Ｉ／Ｆ２７を介して入力される音声データをＣＰＵ２１に出力するよう音声パスの切り替えを行う。なお、ハンズフリー機器５０が未接続の状態では、ＣＰＵ２１から出力される音声データをスピーカ１１、報知用スピーカ１９を介して出力するとともに、マイク１５を介して入力される音声データをＣＰＵ２１に出力するものとする。
【００３９】
外部機器接続Ｉ／Ｆ２９は、ハンズフリー機器５０と、ＣＰＵ２１との間で授受される制御信号等の各種信号の中継を行う。
【００４０】
録音用マイクＩ／Ｆ３０は、撮像部１８による撮影の際にマイク１６から入力される音声データをＣＰＵ２１に出力する。
【００４１】
カメラ制御Ｉ／Ｆ３１は、ＣＰＵ２１から出力される撮像部１８に対する制御信号をカメラ制御部３２に出力するとともに、撮像部１８からカメラ制御部３２を介して出力される画像データ、動画データをＣＰＵ２１に出力する。
【００４２】
カメラ制御部３２は、カメラ制御Ｉ／Ｆ３１から出力される制御信号に基づいて、撮像部１８の動作を制御する。また、不図示のＡ／Ｄ変換回路、ＤＳＰ（Digital Signal Processor）回路等を備え、撮像部１８の撮像素子から出力されるアナログの画像データをＡ／Ｄ変換することでデジタル化し、このデジタルの画像データに対してＡＷＢ（Automatic White Balance）、ＡＥ（Automatic Exposure）等の処理を施した後、カメラ制御Ｉ／Ｆ３１を介してＣＰＵ２１に出力する。
【００４３】
次に、図３を参照して、携帯通信端末１０における通信制御処理について説明する。なお、図３は携帯通信端末１０のＣＰＵ２１と、記憶部２５に記憶された通信制御プログラムとの協働によるソフトウェア処理により実行される処理を示している。
【００４４】
まず、利用者により操作ボタン群１４を介して動画撮影を行う旨の信号が入力されると、この信号に基づいて動画撮影モードが開始され（ステップＳ１）、撮像部１８の起動が行われる（ステップＳ２）とともに、ＲＡＭ２４に撮像用のワークエリアが形成される（ステップＳ３）。
【００４５】
次いで、音声パス切替部２８の状態に基づいて、ハンズフリー機器５０がハンズフリー機器接続Ｉ／Ｆ２７に接続されているか否かが判定され、接続されていると判定された場合には（ステップＳ４；Ｙｅｓ）、撮像部１８で撮影される画像を表示部２３にモニタスルー表示させ、操作部２２を介して撮影を開始する旨の信号の入力とともに録画が開始される（ステップＳ５）。なお、録画の際には、マイク１６により装置外部からの音声が音声データとして採取され、撮像部１８により撮影された動画データとともに記憶部２５に記憶される。
【００４６】
ステップＳ５における録画の間、着信が検出されたか否かが判定され、着信が検出されない場合には（ステップＳ６；Ｎｏ）、ステップＳ１１に移行する。
【００４７】
一方、ステップＳ６において着信が検出された場合には（ステップＳ６；Ｙｅｓ）、この着信を通知する着信音をハンズフリー機器５０に出力させる（ステップＳ７）。このように、着信した旨を報知する着信音をハンズフリー機器５０を介して出力するため、録画中においてもマイク１６が着信音を拾うことなく、利用者に着信した旨を報知することができる。
【００４８】
次いで、操作部２２を介して入力される通話開始を指示するオフフック信号が検出されたか否かが判定され、オフフック信号が検出されない場合には（ステップＳ８；Ｎｏ）、ステップＳ７に戻る。
【００４９】
ステップＳ８においてオンフック信号が検出された場合には（ステップＳ８；Ｙｅｓ）、この着信に係る通話を受け、当該通話の発信者から無線通信部２６を介して入力される音声データをハンズフリー機器５０に出力させるとともに、ハンズフリー機器５０から入力される音声データを無線通信部２６を介して発信者に送信させる（ステップＳ９）。このように、ハンズフリー機器５０を介して通話を可能とすることにより、携帯通信端末１０本体と離れた位置で通話することが可能となるため、マイク１６により集音される通話音を減少させることができる。
【００５０】
ステップＳ９における通話処理の間、通話が終了したか否かが判定され、通話中と判定された場合には（ステップＳ１０；Ｎｏ）、ステップＳ９に戻る。なお、上述したステップＳ６からステップＳ１０までの間、ステップＳ５の録画処理が継続されていることは言うまでもない。
【００５１】
一方、ステップＳ１０において、通話が終了したと判定された場合には（ステップＳ１０；Ｙｅｓ）、ステップＳ１１に移行し、動画撮影モードの終了を指示する押下信号が入力されたか否かが判定される（ステップＳ１１）。ここで、終了を指示する押下信号が検出されない場合には（ステップＳ１１；Ｎｏ）、ステップＳ５に戻り、録画処理が継続される。
【００５２】
ステップＳ１１において、終了を指示する押下信号が検出された場合には（ステップＳ１１；Ｙｅｓ）、本処理は終了する。
【００５３】
一方、ステップＳ４において、ハンズフリー機器５０が接続されていないと判定された場合には（ステップＳ４；Ｎｏ）、外部とのデータの送受信を停止させる電波オフモード制御が無線通信部２６に対して施される（ステップＳ１２）。このように、ハンズフリー機器５０が接続されていない場合に無線通信部２６の動作を無効とするため、録音時における着信が行われないようにすることが可能であり、録音を妨げないようすることができる。
【００５４】
次いで、撮像部１８で撮影される画像を表示部２３にモニタスルー表示させ、操作部２２を介して撮影を開始する旨の信号が入力されると、録画が開始される（ステップＳ１３）。
【００５５】
続いて、動画撮影モードの終了を指示する押下信号が入力されたか否かが判定される（ステップＳ１４）。ここで、終了を指示する押下信号が検出されない場合には（ステップＳ１４；Ｎｏ）、ステップＳ１３に戻り、録画処理が継続される。
【００５６】
一方、ステップＳ１４において、終了を指示する押下信号が検出された場合には（ステップＳ１４；Ｙｅｓ）、無線通信部２６に対して施された電波オフモード制御が解除され、外部とのデータの送受信が有効とされた後（ステップＳ１５）、本処理は終了する。
【００５７】
以上のように、本実施形態によれば、装置外部からの音声の記録時において、ハンズフリーの通話が可能と判定された場合に、無線通信手段によるデータの送受信が可能となるため、撮影又は録音を妨げることなくデータの送受信を行うことができる。
【００５８】
上記実施形態における記述は、本発明の携帯通信端末の一例を示すものであり、これに限定されるものではない。本実施形態における携帯通信端末の細部構成及び詳細動作に関しては、本発明の趣旨を逸脱しない範囲で適宜変更可能である。
【００５９】
例えば、本実施携帯では、撮像部１８による動画撮影時の音声報知を制御することとしたが、これに限らず、マイク１６による音声のみの録音時においても同様の制御を行うこととしてもよい。
【図面の簡単な説明】
【００６０】
【図１】携帯通信端末の外観構成を示す図であって、（ａ）は正面を示す図であり、（ｂ）は背面を示す図である。
【図２】携帯通信端末の機能的構成を示すブロック図である。
【図３】通信制御処理を説明するためのフローチャートである。
【符号の説明】
【００６１】
１０  携帯通信端末
１１  スピーカ
１２  メイン表示部
１３  アンテナ
１４  操作部
１５  マイク
１６  マイク
１７  サブ表示部
１８  撮像部（撮像手段）
１９  報知用スピーカ
２１  ＣＰＵ（判定手段、制御手段）
２２  操作部
２３  表示部
２４  ＲＡＭ
２５  記憶部（記録手段）
２６  無線通信部（無線通信手段）
２７  ハンズフリー機器接続Ｉ／Ｆ（接続手段、検出手段）
２８  音声パス切替部
２９  外部機器接続Ｉ／Ｆ
３０  録音用マイクＩ／Ｆ
３１  カメラ制御Ｉ／Ｆ
３２  カメラ制御部
５０  ハンズフリー機器（音声入出力装置）
【図１】
2006254194.tif 000003
【図２】
2006254194.tif 000004
【図３】
2006254194.tif 000005